(57)【要約】【課題】靴のサイズごとに靴用爪先保護具を必要とすることがなく、使用時に、底部縁が靴底に対してずれる事態が生じても底部縁が裂けず、継続使用によって底部縁が捲れることのない靴用爪先保護具の提供を課題とする。【解決手段】靴甲皮部（２４）を被覆する甲皮被覆部（１０）と、靴底爪先部（２６）を被覆する靴底被覆部（１１）とを一体として形成し、甲皮被覆部（１０）は、靴紐（２５）を通すための紐通し穴（１３）を備えた舌片（１２）を形成し、靴底被覆部（１１）は、縁部（１４）から一又は二以上の切込み（１５）を形成し、該切込み（１５）の先端（１６）の形状を円弧状としたことを特徴とする靴用爪先保護具等を、解決手段とする。【選択図】　　　　図３
2004121726.tif 000002
【特許請求の範囲】
【請求項１】
靴甲皮部（２４）を被覆する甲皮被覆部（１０）と、靴底爪先部（２６）を被覆する靴底被覆部（１１）とを一体として形成し、
甲皮被覆部（１０）は、靴紐（２５）を通すための紐通し穴（１３）を備えた舌片（１２）を形成し、
靴底被覆部（１１）は、縁部（１４）から一又は二以上の切込み（１５）を形成し、該切込み（１５）の先端（１６）の形状を円弧状としたことを特徴とする靴用爪先保護具。
【請求項２】
靴甲皮部（２４）における甲皮部中央（２１）から甲皮部側部（２２）を被覆する甲皮被覆部（１０）と、これに対応して靴底爪先部（２６）を被覆する靴底被覆部（１１）とを、弾性材料で一体に形成してなり、
甲皮被覆部（１０）は、靴紐（２５）を通すための紐通し穴（１３）を備えた舌片（１２）を形成し、
靴底被覆部（１１）は、縁部（１４）から一又は二以上の切込み（１５）を形成したことを特徴とする靴用爪先保護具。
【請求項３】
靴底被覆部（１１）における切込み（１５）の先端（１６）の形状を円弧状としたことを特徴とする請求項２記載の靴用爪先保護具。
【請求項４】
甲皮被覆部（１０）における舌片（１２）の付根近傍（１８）は、幅方向に亘って内側へ湾曲した形状とすることにより、底端部（１７）よりも強度の高い形態とし、また、甲皮被覆部（１０）を、前記底端部（１７）に至るほど末広がりとして幅広で柔軟な形態としたことを特徴とする請求項２又は３記載の靴用爪先保護具。
【請求項５】
甲皮被覆部（１０）における中央側端部（１９）の形状を、正面視において、靴爪先（２０）の甲皮部中央（２１）を通る鉛直方向仮想ラインよりも僅かに外側にはみ出す蛇行状としたことを特徴とする請求項２、３又は４記載の靴用爪先保護具。
【請求項６】
紐通し穴（１３）は、靴（２）の紐孔（２３）の内径よりも大きい内径としたことを特徴とする請求項１、２、３、４、又は５記載の靴用爪先保護具。
【発明の詳細な説明】
【０００１】
【発明が属する技術分野】
本発明は、運動靴（スパイクピン付シューズを含む。）等の甲皮を含む爪先部分を保護するために使用する靴用爪先保護具に関するものである。
【０００２】
【従来の技術】
【特許文献１】実開平６−８６５２９号公報
例えば、実開平６−８６５２９号に開示される考案、即ち、カバー主体を運動靴の爪先部分を覆う形態にして、靴の爪先部分を挿入するための挿入口と、運動靴の爪先部分の底周縁に取付縁を固定するための周縁を形成し、該周縁に取付縁を固定するようにした靴用爪先保護具において、前記取付縁に皮革と、該皮革に合成樹脂を含浸させたものと、硬質材料とを用い、前記周縁と取付縁との間に補強片を挟着した状態で取付片を周縁に固定するとともに、取付縁の爪先側には、靴爪先部分のスパイクピンに対応する位置に穴を形成した靴用爪先保護具（以下、先行技術１という。）が公知である。
【０００３】
上記先行技術１に係る靴用爪先保護具は、カバー主体の底部の周縁と取付縁との間に介在させた補強片が、周縁の輪郭形状を崩すことなく維持するように作用して、運動靴の爪先部分へしっくりと固く被冠されるようになり、しかも、取付縁に開設したスパイクピン用の穴に、運動靴のスパイクピンが嵌り込むようになって、運動靴から靴用爪先保護具が不用意に離脱することがなくなる点で、優れた考案である。
【０００４】
【発明が解決しようとする課題】
しかしながら、上記先行技術１に係る靴用爪先保護具において、未だ解決されていない課題として、靴爪先部分のスパイクピンに対応する位置に穴を形成する構成から靴のサイズごとに当該靴用爪先保護具が必要となる点が挙げられる。
【０００５】
また使用時において、取付縁（底部縁）が靴底に対してずれることで、穴の縁部がスパイク用突起によって引張られて裂ける虞がある。
【０００６】
更に、取付縁の一辺が爪先側に露呈することから、継続使用によって当該一辺から取付縁が捲れる可能性がある点において、改善すべき課題があった。
【０００７】
本発明は、以上の事情に鑑みてなされたものであり、靴のサイズごとに靴用爪先保護具を必要とすることがなく、使用時において、底部縁が靴底に対してずれる事態が生じても、底部縁が裂けることがなく、継続使用によって底部縁が捲れることのない優れた靴用爪先保護具を提供することを、解決しようとする課題とするものである。
【０００８】
【課題を解決するための手段】
靴甲皮部を被覆する甲皮被覆部と、靴底爪先部を被覆する靴底被覆部とを一体として形成し、甲皮被覆部は、靴紐を通すための紐通し穴を備えた舌片を形成し、靴底被覆部は、縁部から一又は二以上の切込みを形成し、該切込みの先端の形状を円弧状とした靴用爪先保護具、及び、靴甲皮部における甲皮部中央から甲皮部側部を被覆する甲皮被覆部と、これに対応して靴底爪先部を被覆する靴底被覆部とを、弾性材料で一体に形成してなり、甲皮被覆部は、靴紐を通すための紐通し穴を備えた舌片を形成し、靴底被覆部は、縁部から一又は二以上の切込みを形成した靴用爪先保護具等を、課題を解決するための手段とする。
【０００９】
【発明の効果】
本発明によれば、靴底被覆部において、縁部から一又は二以上の切込みを形成し、該切込みの先端形状を円弧状としたことにより、靴用爪先端保護具を、やや大きいサイズの靴に使用する場合や、底部縁が靴底に対してずれる事態が生じた場合に、前記切込みの開き角が大きくなることで、該切込み先端に集中しがちな負荷を分散させることができ、靴底被覆部における切込み先端を起点とする裂けの発生を防止することができる。
【００１０】
また、靴甲皮部を被覆する甲皮被覆部と、靴底爪先部を被覆する靴底被覆部とを弾性部材で一体成型したことから、使用時に靴底被覆部が捲れあがったり、衝撃によって靴底被覆部が外れることもない。
【００１１】
そして、本発明において、靴甲皮部における甲皮部中央から甲皮部側部を被覆する甲皮被覆部と、これに対応して靴底爪先部を被覆する靴底被覆部とを、弾性材料で一体に形成した場合には、非常にコンパクト且つ軽量なものとすることができ、靴の最も消耗の激しい靴の甲皮部側部を十分に被覆した上で、運動機能に深く関係する靴の重量の増加を僅かに抑え、また、靴爪先部全体が大柄とせずに足指で接地感覚等を把握しやすいものとなり、装着者の運動能力を阻害しないものとすることができる。
【００１２】
また、上記構成によって、靴甲皮部に対する取付作業を容易とすることができるとともに、原材料の使用量を半減させることで生産コストを大幅に低減でき、更には、流通過程における省スペース性を向上させることができる効果を兼備させることができる。
【００１３】
更に、前記した、甲皮被覆部が靴甲皮部の左側又は右側のいずれか一方のみを被覆し、靴底被覆部に縁部から一又は二以上の切込みを形成し、該切込みの先端形状を円弧状とする上記構成に加えて、甲皮被覆部における舌片の付根近傍は、全体に幅狭で、曲面状とすることにより、底端部よりもやや強度の高い形態とし、また、底端部まで、下方に至るほど末広がりに幅広で柔軟な形態とすることによって、装着対象となる靴と、当該靴用爪先保護具との間に隙間を生じることがなく、靴甲皮部に対して十分にフィットする靴用爪先保護具を提供することができる。
【００１４】
これに加えて、紐通し穴（１３）は、靴の紐孔の内径よりも大きい内径とすることにより、複数の靴のサイズに対して、一の靴用爪先保護具を使用することができる。
【００１５】
【発明の実施の形態及び実施例】
図１は本発明の実施例１に係る靴用爪先保護具の平面図、図２は同実施例１に係る靴用爪先保護具の斜視図、図３は同実施例１に係る靴用爪先保護具の底面図、図４は同実施例１に係る靴用爪先保護具を靴に取付けた状態を示す斜視図、図５は本発明の実施例２に係る靴用爪先保護具の底面図、図６は同実施例２に係る靴用爪先保護具を靴に取付けた状態を示す斜視図である。
【００１６】
本発明の実施例１に係る靴用爪先保護具１は、野球において、内外野手の靴等に使用するのに適するものであり、図１乃至図３に示すように、主として右足側の靴２における甲皮部中央２１から甲皮部側部２２の一方である甲皮部内側２２ａを被覆する甲皮被覆部１０と、靴底爪先部２６における靴底中央２７から靴底内側２８のみを被覆する靴底被覆部１１とを一体成型してなるポリウレタン製のものである。
【００１７】
ここで、前記甲皮被覆部１０は靴爪先２０の甲皮部中央２１から甲皮部内側２２ａを被覆するとともに、靴２の紐孔２３を被覆する舌片１２を備え、該舌片１２には前記靴２の紐孔２３と重なる位置に靴紐２５を通すための長孔状の紐通し穴１３を形成し、更に、靴底被覆部１１は、縁部１４から外方へ切込み１５を形成し、該切込み１５の先端１６を円弧状としたものである。尚、長孔状の紐通し孔の内径は、短軸側の内径が靴の紐孔の内径と同じ寸法で、長軸側の内径は靴の紐孔の内径よりも大きいものとしている。
【００１８】
また、前記甲皮被覆部１０と舌片１２との境界となる舌片付根近傍１８は、全体に幅狭で、幅方向に亘って内側へ湾曲した形状とすることにより、底端部１７よりもやや強度の高い形態とし、また、下方の底端部１７に至るほど末広がりに幅広で柔軟な形態としている。
【００１９】
更に、甲皮被覆部１０における中央側端部１９の形状を、正面視において、靴爪先２０の甲皮部中央２１を通る鉛直方向仮想ラインよりも僅かに外側にはみ出す蛇行状としている。
【００２０】
そして、靴爪先２０に対して当該靴用爪先保護具１を装着する際には、先ず、予め靴紐２５を靴２から取外し、靴爪先２０を靴用爪先保護具１内に挿入し、靴２の紐孔２３と舌片１２の紐通し穴１３とを一致させるとともに、靴底爪先部２６と靴底被覆部１１とを重合する。
【００２１】
次に、この状態において、靴底爪先部２６と靴底被覆部１１とを接着、鋲着等の手段により固着するとともに、靴紐２５を紐孔２３及び紐通し孔１３に連通して、当該靴紐２５を靴２に取付ける。
【００２２】
以上のように、当該実施例１に係る靴用爪先保護具１は、甲皮被覆部１０と、靴底爪先部２６を被覆する靴底被覆部１１とを一体成型してなるポリウレタン製のものとすることによって、使用時に靴底被覆部が捲れあがったり、衝撃によって甲皮被覆部１０と靴底被覆部１１とが外れることがないものとすることができるとともに、靴底被覆部１１において、縁部１４から切込み１５を形成し、該切込み１５の先端１６を円弧状としたことによって、切込み１５の先端１６に集中する負荷を分散させることができ、靴底爪先部２６における切込み１５の先端１６を起点とする裂けの発生を防止できることとなる。
【００２３】
そして、特に甲皮被覆部１０が靴甲皮部中央２１から靴甲皮部内側２２ａのみを、また、靴底被覆部１１が靴底中央２７から靴底内側２８のみを夫々被覆する構成によって、以下に示す種々の優れた効果を兼備することができる。
【００２４】
即ち、靴用爪先保護具１自体を非常にコンパクトで、軽量化することができる点、また、靴爪先２０に対する取付作業において接着、鋲着、縫着等の範囲が減少することで、取付作業が容易となる点、更に、一個当たりの原材料の使用量が爪先全体を被覆する従来の靴用爪先保護具に比べ半分程度とすることができ、生産コストを大幅に低減することができる点、また、流通過程における省スペース点において優れる点等の効果を得ることができる。
【００２５】
上記した靴用爪先保護具１自体を非常にコンパクトで、軽量化することができる点に関しては、靴２の最も消耗の激しい甲皮部内側２２ａを十分に被覆した上で、運動機能に深く関係する靴の重量の増加を僅かに抑えることで、装着者の運動能力を阻害しないことのみならず、靴爪先２０の全体が大柄とならず、接地感覚等を得るについて、不必要に足指の感覚を鈍らせないものとすることによって、装着者の運動能力を阻害しないという非常に優れた効果を得ることができるものである。
【００２６】
これに加えて、舌片付根近傍１８は、全体に幅狭で幅方向に亘って内側へ湾曲した形状とすることにより、底端部１７よりもやや強度の高い形態とし、また、舌片付根近傍１８から底端部１７に至るほど末広がりに幅広で柔軟な形態とする構成とすることによって、舌片付根近傍１８は、取付の際に不用意に変形することがないことから、位置決め固定に都合がよく、また、甲皮被覆部１０における底端部１７までの幅広で柔軟な形態により、靴底被覆部１１の切込み１５と相乗的に作用して、靴２のサイズや外形に適合することを極めて容易とすることができ、この結果、装着対象となる靴２と当該靴用爪先保護具１との間に隙間を生じることがなく、靴甲皮部２４に対して十分にフィットする優れた靴用爪先保護具を提供することができる。
【００２７】
また、本発明の実施例１に係る靴用爪先保護具１における甲皮被覆部１０の中央側端部１９の形状を、正面視において、靴爪先２０の中央部２１を通る鉛直方向仮想ラインよりも僅かに外側に蛇行してはみ出す形状としたことにより、靴甲皮部２４の屈曲等が生じた場合であっても、該靴甲皮部２４に対して甲皮被覆部１０が良好に沿うこととなり、脱落し難い形状としている。
【００２８】
更に、上記実施例１においては、右足用として、右足側の靴２の靴甲皮部中央２１から靴甲皮部内側２２ａのみを甲皮被覆部１０によって被覆し、靴底中央２７から靴底内側２８を靴底被覆部１１によって被覆するものであったが、左足側の靴２の靴甲皮部中央から靴甲皮部内側のみを甲皮被覆部１０によって被覆し、靴底中央から靴底内側を靴底被覆部１１によって被覆することもできるし、或いは、右足側、左足側いずれかの靴２の靴甲皮部中央２１から靴甲皮部外側のみを被覆することもできる。また、実施に際して、使用形態としては、左右いずれか一方に使用するものとすることもできるし、左右双方を一組とすることもできる。
【００２９】
また、右足用、左足用の別と、舌片１２の位置とは無関係に設定することができ、例えば図１に示す右方斜視図に配置される状態のものであっても、靴爪先２０の形状によって、右足用、左足用のいずれの場合のものともすることができる。
【００３０】
これに加え、本発明においては、靴底被覆部１１に先端１６の形状を円弧状とした切込み１５を設けるとともに、甲皮被覆部１０全体を柔軟な形態としたことを兼備させた場合には、左足、右足とも兼用することもできる。
【００３１】
尚、本発明の実施例１においてはポリウレタンを使用したが、これに代えて、天然ゴムや合成ゴム、弾性を有する合成樹脂を使用することができる。
【００３２】
次に、本発明の実施例２に係る靴用爪先保護具１は、上記実施例１とは異なり、靴爪先２０の全体を保護するものであり、図５に示すように、靴甲皮部２４を被覆する甲皮被覆部１０と、靴底爪先部２６を被覆する靴底被覆部１１とを、融着により一体としてなるもので、甲皮被覆部１０は、靴紐２５を通すための長孔状の紐通し穴１３を一箇所に備えた舌片１２を形成し、靴底被覆部１１には、その縁部１４から切込み１５を四箇所に形成し、該四箇所の切込み１５の夫々について先端１６の形状を円弧状としたものである。
【００３３】
本実施例２に係る靴用爪先保護具は、野球の場合であれば、靴の靴先端２０全体の消耗が激しい一方で、野手のような走行、捕球といった運動を要しない、投手の靴等に使用するのに好適なものであり、実施例１と同様に、切込み１５の先端１６の形状を円弧状としたことにより、靴用爪先端保護具１を、やや大きいサイズの靴に使用する場合等に、前記切込み１５の開き角が大きくなることで、該切込み１５の先端１６に集中する負荷を分散させることにより、靴底被覆部１１における切込み１５の先端１６を起点とする裂けの発生を防止することができるものである。
【００３４】
尚、本発明の上記実施例１及び実施例２においては、紐通し孔の形状を長孔状としたが、例えば、靴の紐孔の内径よりも大きい円状や、紐孔よりも大きい長軸を有する楕円状等とすることもできる。
【図面の簡単な説明】
【図１】本発明の実施例１に係る靴用爪先保護具の平面図である。
【図２】本発明の実施例１に係る靴用爪先保護具の斜視図である。
【図３】本発明の実施例１に係る靴用爪先保護具の底面図である。
【図４】本発明の実施例１に係る靴用爪先保護具を靴に取付けた状態を示す斜視図である。
【図５】本発明の実施例２に係る靴用爪先保護具の底面図である。
【図６】本発明の実施例２に係る靴用爪先保護具を靴に取付けた状態を示す斜視図である。
【符号の説明】
１　　靴用爪先保護具
１０　　甲皮被覆部
１１　　靴底被覆部
１２　　舌片
１３　　紐通し穴
１４　　縁部
１５　　切込み
１６　　先端
１７　　底端部
１８　　舌片付根近傍
１９　　中央側端部
２　　靴
２０　　靴爪先
２１　　甲皮部中央
２２　　甲皮部側部
２２ａ　甲皮部内側
２３　　紐孔
２４　　靴甲皮部
２５　　靴紐
２６　　靴底爪先部
２７　　靴底中央
２８　　靴底内側
【図１】
2004121726.tif 000003
【図２】
2004121726.tif 000004
【図３】
2004121726.tif 000005
【図４】
2004121726.tif 000006
【図５】
2004121726.tif 000007
【図６】
2004121726.tif 000008